(57)【特許請求の範囲】
【請求項１】
相互対向離隔された前面基板及び背面基板を有し、前記基板の間にＸ及びＹ電極ラインが相互平行に形成され、アドレス電極ラインが前記Ｘ及びＹ電極
ラインに対して直交するように形成されて、各交差点に相応する画素が設定されたプラズマ表示パネルに対して、前記各Ｙ電極ラインに所定の時差をおいて走査パルスが印加されると同時に相応する表示データ信号が前記各アドレス電極ラインに印加されることにより表示されるべき画素に壁電荷が形成され、前記Ｘ及びＹ電極ラインに表示放電用パルスが交互に印加されることにより前記壁電荷が形成されていた画素で表示放電が起こるようにする駆動方法において、
時分割階調表示のために駆動周期として設定された複数のサブ−フィールドの各サブ−フィールドではリセット、アドレッシング及び表示放電段階が行われ、前記複数のサブ−フィールドの対応する前記Ｙ電極ラインに対して前記走査パルスがアドレスー表示重畳駆動方法によって順次印加され、
前記複数のサブ−フィールドに対する前記走査パルスの印加順序は、フレーム単位毎にアドレス用時間スロットが設定された単位表示周期であるフィールドによって変わる駆動方法。
【請求項２】
前記複数のサブ−フィールドに対する走査順序が、奇数番目のフィールド及び偶数番目のフィールド単位に交互に変わる請求項１に記載の駆動方法。
【請求項３】
前記奇数番目のフィールド及び偶数番目のフィールドからなる表示周期であるフレーム単位で走査順序が変わるステップを更に含むことを特徴とする請求項２に記載の駆動方法。
【請求項４】
前記フレーム単位において、奇数番目のフレーム単位及び偶数番目のフレーム単位で交互に走査順序が変わることを特徴とする請求項３に記載の駆動方法。
【発明の詳細な説明】
【０００１】
【発明の属する技術分野】
本発明は、プラズマ表示パネルの駆動方法に係り、より詳細には、３−電極面放電方式のプラズマ表示パネルの駆動方法に関する。
【０００２】
【従来の技術】
図４は、一般的な３−電極面放電方式のプラズマ表示パネルの構造を示すものである。図５は、図１のプラズマ表示パネルの電極ラインパターンを示すものである。図６は、図１のパネルの画素の一例を示すものである。これらの図面を参照すれば、一般的な面放電プラズマ表示パネル１の前面及び背面ガラス基板１０，１３の間には、アドレス電極ラインＡ1 ，Ａ2 ，．．．，Ａm-1 ，Ａm ，誘電体層１１，１５，Ｙ電極ラインＹ1 ，．．．，Ｙn ，Ｘ電極ラインＸ1 ，．．．，Ｘn ，蛍光体１６，隔壁１７及び保護層としての一酸化マグネシウム（ＭｇＯ）層１２が設けられている。
【０００３】
アドレス電極ラインＡ1 ，Ａ2 ，．．．，Ａm-1 ，Ａm は、背面ガラス基板１３の前面に一定のパターンで形成される。下部誘電体層１５はアドレス電極ラインＡ1 ，Ａ2 ，．．．，Ａm-1 ，Ａm の前面に全面塗布される。下部誘電体層１５の前面には隔壁１７がアドレス電極ラインＡ1 ，Ａ2 ，．．．，Ａm-1 ，Ａm と平行した方向に形成される。この隔壁１７は各画素の放電領域を区切り、各画素間の光学的な干渉（クロストーク）を防止する機能をする。蛍光体１６は、隔壁１７の間に塗布される。
【０００４】
Ｘ電極ラインＸ1 ，．．．，Ｘn 及びＹ電極ラインＹ1 ，．．．，Ｙn は、アドレス電極ラインＡ1 ，Ａ2 ，．．．，Ａm-1 ，Ａm と直交するように前面ガラス基板１０の背面に一定のパターンで形成される。各交差点は相応する画素を規定する。各Ｘ電極ラインＸ1 ，．．．，Ｘn 及び各Ｙ電極ラインＹ1 ，．．．，Ｙn は、透明な導電性材質のＩＴＯ（Indium Tin Oxide）電極ライン（図６のＸna，Ｙna）と金属材質のバス電極ライン（図６のＸnb，Ｙnb）とが結合されて形成される。上部誘電体層１１は、Ｘ電極ラインＸ1 ，．．．，Ｘn とＹ電極ラインＹ1 ，．．．，Ｙn の背面に全面塗布されて形成される。強い電界からパネル１を保護するための一酸化マグネシウム（ＭｇＯ）層１２は、上部誘電体層１１の背面に全面塗布されて形成される。放電空間１４には、プラズマ形成用ガスが密封される。
【０００５】
このようなプラズマ表示パネルに基本的に適用される駆動方式は、リセット、アドレス及び表示放電段階が単位サブ−フィールドで順次行われるようにする方式である。リセット段階では、以前のサブ−フィールドでの残余壁電荷が消去され、且つ空間電荷が均一に生成されるように駆動する。アドレス段階では、選択された画素で壁電荷が形成されるように駆動する。そして表示放電段階では、アドレス段階で壁電荷が形成された画素で光が発生するように駆動する。すなわち、全てのＸ電極ラインＸ1 ，．．．，Ｘn 及び全てのＹ電極ラインＹ1 ，．．．，Ｙn に相対的に高い電圧のパルスを交互に印加すれば、壁電荷の形成された画素で面放電を引き起こす。このとき、ガス層でプラズマが形成され、その紫外線放射によって蛍光体１６が励起されて光が発生する。
【０００６】
図７は、一般的なプラズマ表示パネルの駆動方法による単位表示周期の構成を示すものである。ここで、単位表示周期は、順次走査方式の場合にはフレームを、そして飛越走査方式の場合にはフィールドを意味する。図７に示された駆動方法を通常アドレス−表示重畳（Multiple Address Overlapping Display）駆動方法と呼ぶ。この駆動方法によれば、全てのＸ電極ライン（図４のＸ1 ，．．．，Ｘn ）及び全てのＹ電極ラインＹ1 ，．．．，Ｙ480 に表示放電用パルスが持続的に印加され、リセットまたはアドレス用パルスが各表示放電用パルスの間で印加される。ここで、時分割階調表示をために駆動周期として設定された複数のサブ−フィールドＳＦ1 ，．．．，ＳＦ8 の相応するＹ電極ラインに対してリセットまたはアドレス用パルスが印加される。
【０００７】
これにより、アドレス−表示重畳駆動方法は、アドレス−表示分離駆動方法に比べて表示輝度が向上されるという利点がある。ここで、アドレス−表示分離駆動方法とは、単位サブ−フィールド内でリセット及びアドレス段階がどれかの周期を占めながら全てのＹ電極ラインＹ1 ，．．．，Ｙ480 に対して行われた後に表示放電段階が行われる方法をいう。
【０００８】
図７を参照すれば、単位フィールドまたはフレームは、時分割階調表示のために８個のサブ−フィールドＳＦ1 ，．．．，ＳＦ8 に区切られる。各サブ−フィールドではリセット、アドレス及び表示放電段階が行われ、各サブ−フィールドに割り当てられる時間は階調に相応する表示放電時間によって決定される。例えば、８ビットの映像データとしてフレーム単位で２５６階調を表示する場合に、単位フレーム（一般的に１／６０秒）が２５６単位時間からなるならば、最下位ビット（Least Significant Bit；ＬＳＢ）の映像データによって駆動される第１サブ−フィールドＳＦ1 は１（２0 ）単位時間、第２サブ−フィールドＳＦ2 は２（２1 ）単位時間、第３サブ−フィールドＳＦ3 は４（２2 ）単位時間、第４サブ−フィールドＳＦ4 は８（２3 ）単位時間、第５サブ−フィールドＳＦ5 は１６（２4 ）単位時間、第６サブ−フィールドＳＦ6 は３２（２5 ）単位時間、第７サブ−フィールドＳＦ7 は６４（２6 ）単位時間、そして最上位ビット（Most Significant Bit；ＭＳＢ）の映像データによって駆動される第８サブ−フィールドＳＦ8 は１２８（２7 ）単位時間をそれぞれ有する。すなわち、各サブ−フィールドに割り当てられた単位時間の合計は２５５単位時間なので、２５５階調表示が可能であり、ここにどのサブ−フィールドでも表示放電されない階調を含むなら、２５６階調表示が可能である。第１サブ−フィールドＳＦ1 であるＹ電極ラインに対してアドレス段階が行われたのちに表示放電段階が行われると、第２サブ−フィールドＳＦ2 で相応するＹ電極ラインに対してアドレス段階が行われる。このような過程は相次ぐサブ−フィールドＳＦ3 ，．．．，ＳＦ8 に対しても同様に適用される。例えば、第７サブ−フィールドＳＦ7 で相応するＹ電極ラインに対してアドレス段階が行われたのちに表示放電段階が行われると、第８サブ−フィールドＳＦ8 で相応するＹ電極ラインに対してアドレス段階が行われる。単位サブ−フィールドの時間は単位フィールドまたはフレームの時間と同様であるが、各単位サブ−フィールドは駆動されるＹ電極ラインＹ1 ，．．．，Ｙ480 を基準として互いに重畳されて単位フィールドまたはフレームを構成する。したがって、全ての時点で全てのサブ−フィールドＳＦ1 ，．．．，ＳＦ8 が存在するので、各アドレス段階の遂行のために各表示放電用パルスの間にサブ−フィールドの数によるアドレス用時間スロットが設定される。
【０００９】
図８は、図７の駆動方法による単位フィールドまたは単位フレーム内の駆動信号を示すものである。図８において、参照符号ＳY1，．．．，ＳY8は各サブ−フィールドの相応するＹ電極ラインに印加される駆動信号を表わす。より詳細には、ＳY1は第１サブ−フィールド（図７のＳＦ1 ）のあるＹ電極ラインに印加される駆動信号を、ＳY2は第２サブ−フィールド（図７のＳＦ2 ）のあるＹ電極ラインに印加される駆動信号を、ＳY3は第３サブ−フィールド（図７のＳＦ3 ）のあるＹ電極ラインに印加される駆動信号を、ＳY4は第４サブ−フィールド（図７のＳＦ4 ）のあるＹ電極ラインに印加される駆動信号を、ＳY5は第５サブ−フィールド（図７のＳＦ5 ）のあるＹ電極ラインに印加される駆動信号を、ＳY6は第６サブ−フィールド（図７のＳＦ6 ）のあるＹ電極ラインに印加される駆動信号を、ＳY7は第７サブ−フィールド（図７のＳＦ7 ）のあるＹ電極ラインに印加される駆動信号を、そしてＳY8は第８サブ−フィールド（図７のＳＦ8 ）のあるＹ電極ラインに印加される駆動信号をそれぞれ表わす。参照符号ＳX1...4 ，ＳX5．．．8 は、走査されるＹ電極ラインに相応するＸ電極ライングループに印加される駆動信号を、そしてＳA1．．．m は全てのアドレス電極ライン（図４のＡ1 ，．．．，Ａm ）に印加される表示データ信号を、そしてＧＮＤは接地電圧を表わす。図９は、図８の周期Ｔ31からＴ42までの各サブ−フィールドの相応するＹ電極ラインに印加される駆動信号ＳY1，．．．，ＳY4をより詳細に示すものである。
【００１０】
図８及び図９を参照すれば、Ｘ電極ライン（図４のＸ1 ，．．．，Ｘn ）及び全てのＹ電極ラインＹ1 ，．．．，Ｙ480 に表示放電用パルス２，５が持続的に印加され、リセットパルス３または走査パルス６が各表示放電用パルス２，５の間で印加される。ここで、複数のサブ−フィールドＳＦ1 ，．．．，ＳＦ8 の相応するＹ電極ラインに対してリセットまたはアドレス用パルスが印加される。
【００１１】
リセットパルス３が印加されてから走査パルス６が印加されるまでは所定の休止期間をおいて相応する画素領域で空間電荷が円滑に分布されるようにする。図８において、時間Ｔ12，Ｔ21，Ｔ22及びＴ31は第１ないし第４サブ−フィールドのＹ電極ライングループに相応する休止期間を、そしてＴ22，Ｔ31，Ｔ32及びＴ41は第５ないし第８サブ−フィールドのＹ電極ライングループに相応する休止期間を表わす。各休止期間に印加される表示放電用パルス５は実際に表示放電を起こせず相応する画素領域で空間電荷が円滑に分布されるようにする。ところが、休止期間の他に印加される表示放電用パルス２は走査パルス６及び表示データ信号ＳA1．．．m によって壁電荷の形成されていた画素で表示放電が起こるようにする。
【００１２】
休止期間に印加される表示放電用パルス５のうち最終パルスとこれに相次ぐ第１番目の表示放電用パルス２の間（Ｔ32またはＴ42）には４回のアドレッシングが行われる。例えば、Ｔ32時間には第１ないし第４サブ−フィールドの相応するＹ電極ライングループに対してアドレッシングが行われる。また、Ｔ42時間には第５ないし第８サブ−フィールドの相応するＹ電極ライングループに対してアドレッシングが行われる。図７の説明に際して述べたように、全ての時点で全てのサブ−フィールドＳＦ1 ，．．．，ＳＦ8 が存在するので、各アドレス段階の遂行のために各表示放電用パルスの間にサブ−フィールドの数によるアドレス用時間スロットが設定される。
【００１３】
前述のような３−電極面放電方式のプラズマ表示パネルの駆動方法において、従来には、複数のサブ−フィールドに対する走査順序が表示周期と関係せずに一定している。例えば、第１サブ−フィールドＳＦ1 及び第５サブ−フィールドＳＦ5 においていつも第１番目の時間スロットでのみ走査され、第２サブ−フィールドＳＦ2 及び第６サブ−フィールドＳＦ6 においていつも第２番目の時間スロットでのみ走査され、第３サブ−フィールドＳＦ3 及び第７サブ−フィールドＳＦ7 においていつも第３番目の時間スロットでのみ走査され、第４サブ−フィールドＳＦ4 及び第８サブ−フィールドＳＦ8 においていつも第４番目の時間スロットでのみ走査される。
【００１４】
ところが、アドレスによって各Ｙ電極ライン上で形成されていた壁電荷が最初の表示放電用パルス（図８のＴ31またはＴ41周期での２）を待つ時間が互いに別々である。この待ち時間が長びくほど、表示されるべき画素で形成されていた壁電荷がたくさん消滅される。したがって、従来の駆動方法によれば、サブ−フィールドのうち第１番目の走査時点を有したサブ−フィールド（例えば、ＳＦ1 及びＳＦ5 ）で表示されるべき画素が持続的に表示できない確率が高いため、表示の均等性及び安定性が低下する恐れがある。
【００１５】
【発明が解決しようとする課題】
本発明は上記事情に鑑みて成されたものであり、その目的は、プラズマ表示パネルの駆動方法において、特定サブ−フィールドの表示されるべき画素で表示放電が起こらない現象を防止して表示の均一性及び安定性を高めることのできる駆動方法を提供するところにある。
【００１６】
【課題を解決するための手段】
前記目的を達成するために、本発明の駆動方法は、相互対向離隔された前面基板及び背面基板を有し、前記基板の間にＸ及びＹ電極ラインが相互平行に形成され、アドレス電極ラインが前記Ｘ及びＹ電極ラインに対して直交するように形成されて、各交差点に相応する画素が設定されたプラズマ表示パネルに対して、前記各Ｙ電極ラインに所定の時差をおいて走査パルスが印加されると同時に相応する表示データ信号が前記各アドレス電極ラインに印加されることにより表示されるべき画素に壁電荷が形成され、前記Ｘ及びＹ電極ラインに表示放電用パルスが交互に印加されることにより前記壁電荷が形成されていた画素で表示放電が起こるようにする駆動方法において、時分割階調表示のために駆動周期として設定された複数のサブ−フィールドの相応するＹ電極ラインに対して前記走査パルスが順次印加され、前記複数のサブ−フィールドに対する走査順序が単位表示周期であるフィールドによって変わる。
【００１７】
これにより、前記各サブ−フィールドの走査順序の変化によって特定サブ−フィールドの表示されるべき画素で表示放電が起こらない現象を防止できるので、表示の均一性及び安定性を高めることができる。
【００１８】
【発明の実施の形態】
この実施形態の基本的な駆動方法は前述した‘発明の属する技術分野’のところで述べたのと同様である。したがって、この実施形態の説明に際しては、本発明の特徴のみに重点をおいて述べる。
【００１９】
下記表１は、本発明の２つの実施形態によるアドレス順序を要約して示すものである。
【００２０】
【表１】
0004009415.tif 000002
【００２１】
前記表１において、"１→２→３→４"の意味は、第１サブ−フィールド（図７のＳＦ1 ）及び第５サブ−フィールド（図７のＳＦ5 ）において第１番目の時間スロットで走査され、第２サブ−フィールド（図７のＳＦ2 ）及び第６サブ−フィールド（図７のＳＦ6 ）において第２番目の時間スロットで走査され、第３サブ−フィールド（図７のＳＦ3 ）及び第７サブ−フィールド（図７のＳＦ7 ）において第３番目の時間スロットで走査され、第４サブ−フィールド（図７のＳＦ4 ）及び第８サブ−フィールド（図７のＳＦ8 ）において第４番目の時間スロットで走査されるということである。前記表１を参照すれば、第１及び第２実施形態は共通的に各サブ−フィールドに対する走査順序がフィールド単位で変わるということが分かる。第１実施形態において各サブ−フィールドに対する走査順序は単位フレーム内で奇数番目のフィールド及び偶数番目のフィールド単位に交互に変わる。この順序はフレームの順序によって変わらない。しかし、第２実施形態で各サブ−フィールドに対する走査順序は、単位フレーム内で奇数番目のフィールド及び偶数番目のフィールド単位に交互に変わる一方、奇数番目のフレーム及び偶数番目のフレーム単位にでも交互に変わる。第１及び第２実施形態によれば、各サブ−フィールドの走査順序の変化によって特定のサブ−フィールドの表示されるべき画素で持続的に表示放電が起こらない現象を防止できるので、表示の均一性及び安定性を高めることができる。
【００２２】
前述した第１及び第２実施形態で"１→２→３→４"の順序に該当する駆動タイミング図は図９に示された通りである。
【００２３】
図１は、前記表１の第１実施形態によって各フレームの第２番目のフィールドのアドレス段階で各サブ−フィールドの相応するＹ電極ラインに印加される駆動信号を示すものである。図１において、図９と同じ参照符号は同じ機能の対象を表わす。図１を参照すれば、前記表１の第１実施形態によって各フレームの第２番目のフィールドのアドレス段階では、第１サブ−フィールドＳＦ1 及び第５サブ−フィールドＳＦ5 において第３番目の時間スロットで走査され、第２サブ−フィールドＳＦ2 及び第６サブ−フィールドＳＦ6 において第４番目の時間スロットで走査され、第３サブ−フィールドＳＦ3 及び第７サブ−フィールドＳＦ7 において第１番目の時間スロットで走査され、第４サブ−フィールドＳＦ4 及び第８サブ−フィールドＳＦ8 において第２番目の時間スロットで走査される。
【００２４】
図１の波形図は、前述した第１及び第２実施形態で"３→４→１→２"の順序に該当するタイミング図である。すなわち、第１実施形態の全ての偶数番目のフィールドでのアドレス段階に該当するタイミング図である。また、第２実施形態の奇数番目のフレームの偶数番目のフィールドでのアドレス段階に該当するタイミング図である。
【００２５】
図２は、前記表１の第２実施形態によって偶数番目のフレームの第１番目のフィールドのアドレス段階で各サブ−フィールドの相応するＹ電極ラインに印加される駆動信号を示すものである。図２において、図１と同じ参照符号は同じ機能の対象を表わす。図２を参照すれば、前記表１の第２実施形態によって偶数番目のフレームの第１番目のフィールドのアドレス段階では、第１サブ−フィールドＳＦ1 及び第５サブ−フィールドＳＦ5 において第２番目の時間スロットで走査され、第２サブ−フィールドＳＦ2 及び第６サブ−フィールドＳＦ6 において第１番目の時間スロットで走査され、第３サブ−フィールドＳＦ3 及び第７サブ−フィールドＳＦ7 において第４番目の時間スロットで走査され、第４サブ−フィールドＳＦ4 及び第８サブ−フィールドＳＦ8 において第３番目の時間スロットで走査される。
【００２６】
図３は、前記表１の第２実施形態によって偶数番目のフレームの第２番目のフィールドのアドレス段階で各サブ−フィールドの相応するＹ電極ラインに印加される駆動信号を示すものである。図３において、図２と同じ参照符号は同じ機能の対象を表わす。図３を参照すれば、前記表１の第２実施形態によって偶数番目のフレームの第２番目のフィールドのアドレス段階では、第１サブ−フィールドＳＦ1 及び第５サブ−フィールドＳＦ5 において第４番目の時間スロットで走査され、第２サブ−フィールドＳＦ2 及び第６サブ−フィールドＳＦ6 において第３番目の時間スロットで走査され、第３サブ−フィールドＳＦ3 及び第７サブ−フィールドＳＦ7 において第２番目の時間スロットで走査され、第４サブ−フィールドＳＦ4 及び第８サブ−フィールドＳＦ8 において第１番目の時間スロットで走査される。
【００２７】
【発明の効果】
以上述べたように、本発明によるプラズマ表示パネルの駆動方法によれば、各サブ−フィールドの走査順序の変化によって特定のサブ−フィールドの表示されるべき画素で持続的に表示放電が起こらない現象を防止できるので、表示の均一性及び安定性を高めることができる。
【００２８】
本発明は前述した実施形態に限定されるものではなく、請求範囲で限定された発明の思想及び範囲内で当業者にとって変形及び改良可能である。
【図面の簡単な説明】
【図１】本発明の第１実施形態によって各フレームの第２番目のフィールドのアドレス段階で各サブ−フィールドの相応するＹ電極ラインに印加される駆動信号の詳細波形図である。
【図２】本発明の第２実施形態によって偶数番目のフレームの第１番目のフィールドのアドレス段階で各サブ−フィールドの相応するＹ電極ラインに印加される駆動信号の詳細波形図である。
【図３】本発明の第２実施形態によって偶数番目のフレームの第２番目のフィールドのアドレス段階で各サブ−フィールドの相応するＹ電極ラインに印加される駆動信号の詳細波形図である。
【図４】一般的な３−電極面放電方式のプラズマ表示パネルの構造を示す内部斜視図である。
【図５】図４のプラズマ表示パネルの電極ラインパターン図である。
【図６】図４のパネルの画素の一例を示す断面図である。
【図７】一般的なプラズマ表示パネルの駆動方法による単位表示周期の構成を示すタイミング図である。
【図８】図７の駆動方法による単位フィールドまたは単位フレーム内の駆動信号を示す電圧波形図である。
【図９】図８の周期Ｔ31からＴ42までの各サブ−フィールドの相応するＹ電極ラインに印加される駆動信号の詳細波形図である。
【符号の説明】
２，５  表示放電用パルス
６  走査パルス
１０  前面基板
１３  背面基板
Ｘ1 ，．．．，Ｘn   Ｘ電極ライン
Ｙ1 ，．．．，Ｙn   Ｙ電極ライン
Ａ1 ，Ａ2 ，．．．，Ａm-1 ，Ａm   アドレス電極ライン
ＳA1．．．m   表示データ信号
ＳＦ1 ，．．．，ＳＦ8   サブ−フィールド
ＧＮＤ  接地電圧
【図１】
0004009415.tif 000003
【図２】
0004009415.tif 000004
【図３】
0004009415.tif 000005
【図４】
0004009415.tif 000006
【図５】
0004009415.tif 000007
【図６】
0004009415.tif 000008
【図７】
0004009415.tif 000009
【図８】
0004009415.tif 000010
【図９】
0004009415.tif 000011